(57)【要約】【課題】僅かな重量の変化でも検出可能であり、また検出条件に応じてスイッチとしても動作可能で、かつ屋内外で使用可能な重量センサーを提供する。【解決手段】外皮カバーの内側に一体成形された一対のパネル電極と、前記外皮カバーの周縁内側に設けられた弾性体の枠スペーサーと、前記枠スペーサーの内側であって前記パネル電極間に設けられた複数の弾性体の支持スペーサーと、前記パネル電極に接続するリード線と、前記リード線を外部に導出する出力部とを備えたことを特徴とする【選択図】図２
2017120244.tif 000002
【特許請求の範囲】
【請求項１】
外皮カバーの内側に一体成形された一対のパネル電極と、前記外皮カバーの周縁内側に設けられた弾性体の枠スペーサーと、前記枠スペーサーの内側であって前記パネル電極間に設けられた複数の弾性体の支持スペーサーと、前記パネル電極に接続するリード線と、前記リード線を外部に導出する出力部とを備えたことを特徴とする重量センサー。
【請求項２】
前記パネル電極が、カーボンペーパ、導電印刷、導電塗装のいずれかにより、前記外皮カバーの内側に一体形成されていることを特徴とする請求項１に記載の重量センサー。
【請求項３】
前記外皮カバーは、塩ビシート、ターポリンシート、ウレタンシート、ナイロン、ゴム、プラスチックシート、ビニールシート、人工皮革、革、布のいずれかであることを特徴とする請求項１又は２に記載の重量センサー。
【請求項４】
前記外皮カバーは、ポリエステルターポリンシート又は軟質塩化ビニールシートであり、その全周が溶着密閉により防水性を備えていることを特徴とする請求項１から３のいずれかに記載の重量センサー。
【請求項５】
前記枠スペーサー及び／又は前記支持スペーサーは、ゴム、スポンジ、ウレタンゴム、ウレタンスポンジ、ウレタンフォーム、シリコン、シリコンゴム、ゴムスポンジ、エラストマー、ポリプロピレン、ポリエチレン、ポリウレタン、ポリスチレンのいずれかであることを特徴とする請求項１から４のいずれかに記載の重量センサー。
【請求項６】
前記枠スペーサーと隣接する前記支持スペーサーとの間隔が、前記支持スペーサー同士の間隔よりも広いことを特徴とする請求項１から６のいずれかに記載の重量センサー。
【請求項７】
前記のパネル電極のいずれかの上側面に誘電体シートが設けられていることを特徴とする請求項１から６のいずれかに記載の重量センサー。
【請求項８】
前記誘電体シートは、ウレタン、ポリエステルシート、ポリエステルフィルム、ポリフィルム、ポリ系シート、ストレッチフィルムであることを特徴とする請求項７に記載の重量センサー。
【発明の詳細な説明】
【技術分野】
【０００１】
本発明は、重量（加重）の変化を高精度に検出可能な重量センサーに関し、特に屋内外において重量の変化を検出可能な静電容量式重量センサーと重量スイッチ（２つを総称して重量センサーという）に関する。
【背景技術】
【０００２】
２つのパネル電極を対抗させ、その電極間に誘電体シートと複数のスペーサーを設ける静電容量式重量センサーとしては、下記特許文献１に記載の技術がある。特許文献１に記載の静電容量式重量センサーは、２極のコンデンサ電極を数枚の帯状電極で構成し、その片方の電極に誘電体シートを張り合わせ、その誘電体シートと他の片方の電極側間にスペーサーを挟みこみコンデンサを構成し、かつその周囲を弾性を有する絶縁体で覆って、さらにその周囲をシールド電極で覆い、その最外周を伸縮可能な絶縁材料で覆い、スペーサー以外の部分のコンデンサ電極に加わる重量変化をコンデンサ電極間の静電容量の変化として検出するものである。
【０００３】
しかし、特許文献１に記載の静電容量式重量センサーでは、高反発の布団や低反発のマットレスと、ベッドとの間に当該センサーを設置した場合、人の離着床などの大きな動作の検出は可能であっても、スペーサーの取り付け部分が変動しないため、微少な加重の変化、例えば人の呼吸による加重の変化や、寝返りなどによる加重の僅かな人の動きの変化を検出しようとしても、コンデンサ電極間の静電容量の変化が小さく、検出することができない、という問題があった。また、センサーを構成する部品点数が多いため、材料費や組立工数がかかりコスト高になる、あるいは防水性がないため屋外に設置できない、という問題があった。
さらに、特許文献１に記載の技術は静電容量式であるため、重量の変化を単にスイッチのオン、オフで検出したいというニーズに対応できないという問題もあった。
【先行技術文献】
【特許文献】
【０００４】
【特許文献１】特許第４０６９２５６号公報
【発明の概要】
【発明が解決しようとする課題】
【０００５】
そこで本発明の課題はこのような事情に鑑みてなされたものであり、僅かな重量の変化でも検出可能であり、また検出条件に応じてスイッチとしても動作可能な重量センサーを提供することにある。また、防水性・耐久性に優れ、構成部品が簡略化された低コストで防水性や耐久性等に優れた重量センサーを提供することを目的とする。
【課題を解決するための手段】
【０００６】
請求項１に記載の発明は、外皮カバーの内側に一体成形された一対のパネル電極と、前記外皮カバーの周縁内側に設けられた弾性体の枠スペーサーと、前記枠スペーサーの内側であって前記パネル電極間に設けられた複数の弾性体の支持スペーサーと、前記パネル電極に接続するリード線と、前記リード線を外部に導出する出力部とを備えたことを特徴とする重量センサーである。
【０００７】
請求項２に記載の発明は、請求項１に記載の重量センサーであって、前記パネル電極が、カーボンペーパ、導電印刷、導電塗装のいずれかにより、前記外皮カバーの内側に一体形成されていることを特徴とする。
【０００８】
請求項３に記載の発明は、請求項１又は２に記載の重量センサーであって、前記外皮カバーは、塩ビシート、ターポリンシート、ウレタンシート、ナイロン、ゴム、プラスチックシート、ビニールシート、人工皮革、革、布のいずれかであることを特徴とする。
【０００９】
請求項４に記載の発明は、請求項１から３のいずれかに記載の重量センサーであって、前記外皮カバーは、ポリエステルターポリンシート又は軟質塩化ビニールシートであり、その全周が溶着密閉により防水性を備えていることを特徴とする。
【００１０】
請求項５に記載の発明は、請求項１から４のいずれかに記載の重量センサーであって、前記枠スペーサー及び／又は前記支持スペーサーは、ゴム、スポンジ、ウレタンゴム、ウレタンスポンジ、ウレタンフォーム、シリコン、シリコンゴム、ゴムスポンジ、エラストマー、ポリプロピレン、ポリエチレン、ポリウレタン、ポリスチレンのいずれかであることを特徴とする。
【００１１】
請求項６に記載の発明は、 請求項１から６のいずれかに記載の重量センサーであって、前記枠スペーサーと隣接する前記支持スペーサーとの間隔が、前記支持スペーサー同士の間隔よりも広いことを特徴とする。
【００１２】
請求項７に記載の発明は、 請求項１から６のいずれかに記載の重量センサーであって、前記のパネル電極のいずれかの上側面に誘電体シートが設けられていることを特徴とする。
【００１３】
請求項８に記載の発明は、請求項７に記載の重量センサーであって、前記誘電体シートは、ウレタン、ポリエステルシート、ポリエステルフィルム、ポリフィルム、ポリ系シート、ストレッチフィルムであることを特徴とする。
【発明の効果】
【００１４】
本発明によれば、僅かな重量の変化であっても検出可能であり、また検出条件に応じてスイッチとしても動作可能な重量センサーを提供することができる。また本発明によれば、防水性・耐久性に優れ、構成部品が簡略化された低コストで防水性、耐久性等に優れた重量センサーを提供することができる。
【図面の簡単な説明】
【００１５】
【図１】本発明の一実施の形態である静電容量式重量センサーの平面図である。
【図２】本発明の一実施の形態である静電容量式重量センサーの断面図である。
【図３】本発明の一実施の形態である静電容量式重量センサーのパネル電極Ｓ、パネル電極Ｅの断面図である。
【図４】本発明の一実施の形態である重量スイッチの平面図である。
【図５】本発明の一実施の形態である重量スイッチの断面図である。
【図６】本発明の一実施の形態である重量スイッチのパネル電極Ｓ、Ｅの断面図である。
【図７】本発明の一実施例である静電容量式重量センサー１１の平面図である。
【図８】本発明の一実施例である静電容量式重量センサー１１の断面図である。
【図９】本発明の一実施例である重量スイッチ２１の断面図である。
【図１０】図１１に示す静電容量式重量センサー１１により、人が着床してから離床するまでの静電容量の変化を示した図である。
【図１１】先行技術である特許文献１に技術により、人が着床してから離床するまでの静電容量の変化を示した図である。
【図１２】浴槽に静電容量式重量センサー１１を設置した図である。
【図１３】浴槽にお湯を満たしているとき静電容量式重量センサー１１の静電容量値の変化を示したグラフである。
【図１４】浴槽に人が入浴してから湯上りするまでの静電容量式重量センサー１１の静電容量値の変化を示したグラフである。
【図１５】図１４のロの区間の一部の静電容量値の変化を拡大したグラフである。
【図１６】積雪を検知するための重量スイッチ１１の電柱設置図である。
【発明を実施するための形態】
【００１６】
本発明の一実施の形態について、図面を参照しながら説明するが、本発明はこれに限定されるものではない。図１は本発明の一実施の形態である静電容量式重量センサー１０の平面図である。図１に示す静電容量式重量センサー１０は、長方形の枠を形成する枠スペーサー１１０、枠スペーサー１１０の長辺部を支持し、両辺の離隔を保持する支持スペーサー１２０、これらを覆う外皮カバー１００等により構成されている。
【００１７】
図２は、図１に示すＡ−Ａ部の断面図である。静電容量式重量センサー１０の外側は外皮カバー１００（１００ａ，１００ｂ）で被覆され、その内側にパネル電極１３０ａ（電極Ｅ）、パネル電極１３０ｂ（電極Ｓ）がある。パネル電極１３０ａとパネル電極１３０ｂとの間には、それらの離隔を保持する支持スペーサー１２０が設けられ、支持スペーサー１２０により空間１７０が形成される。
【００１８】
図２において、外皮カバー１００ａはパネル電極１３０ａを被覆するように一体成形され、外皮カバー１００ｂはパネル電極１３０ｂを被覆するように一体成形されている。
【００１９】
パネル電極１３０ｂの上側には誘電体シート１４０が密着して設けられ、誘電体シート１４０を介して、パネル電極１３０ａとパネル電極１３０ｂとは支持スペーサー１２０、及び枠スペーサー１１０により所定の離隔が保持されている。これらのスペーサーにより空間１７０が形成されている。
【００２０】
外皮カバー１００ａと外皮カバー１００ｂとは、接続部１５０（１５０ａ，１５０ｂ）及び全周縁端にわたり密閉されている。外皮カバーの材料としては、例えば、塩ビシート、ターポリンシート、ウレタンシート、ナイロン、ゴム、プラスチックシート、ビニールシート、人工皮革、革、布等である。また、静電容量式重量センサー１０を防水型とするには、例えばポリエステルターボリンシート、ポリエステルシート、軟質塩ビシート、ＦＲＰシート、塩ビ版等が好ましい。防水型の静電容量式重量センサーとすることで、屋外設置や水回りに設置することができ、従来技術では不可能であった様々な分野に応用することができる。
【００２１】
外皮カバー１００と一体形成するパネル電極１３０ａ、パネル電極１３０ｂは、外皮カバーの変形と一体となり変形する柔軟な電極材料であることが好ましい。例えばカーボンペーパ、導電性インクを用いた導電印刷体、あるいは基材である外皮カバーに導電性材料を塗装した導電塗装体ある。
【００２２】
パネル電極１３０と一体成形される外皮カバー１００の材料としては、加重がかかった際の形状変化に対応可能な柔軟性を有しているものが好ましい。また、耐熱性、気密性などに優れ、パネル電極１３０との融着性の良い材料であることが好ましく、例えばポリエステルターボリンシート、ポリエステルシート、軟質塩ビシートであることは好ましい。また、その厚みは０．３５ｍｍから０．７ｍｍ 程度が好ましい。厚みが０．３５ｍｍ未満になると圧縮残留歪が大きなり元の形状に戻り難くなり、０．７ｍｍを越えると圧縮され難くなり感度が悪くなるからである。
【００２３】
図３は静電容量式重量センサー１０のパネル電極１３０ａ、パネル電極１３０ｂの断面図である。外皮カバー１００ａの上側にはパネル電極１３０ａが外皮カバー１００ａと一体形成され、その上側には誘電体シート１４０が密着形成されている。外皮カバー１００ｂの下側にはパネル電極１３０ｂが一体形成されている。
【００２４】
図２において、パネル電極１３０ａとパネル電極１３０ｂとの間に挿入される誘電体シート１４０の材料としては、屈曲に対する復元力の大きな材料が好ましく、例えばウレタンシートは好適である。特にウレタンシートの厚みが、０．０５ｍｍから０．２ｍｍ程度が好ましい。ウレタンシートの厚みが０．０５ｍｍ未満になると静電容量値の安定性が確保され難くなり、０．２ｍｍを越えると感度が悪くなるからである。
【００２５】
枠スペーサー１１０、支持スペーサー１２０の材料としては、収縮が大きくかつ圧縮残留歪の小さいものが好ましく、例えばゴム、スポンジ、ウレタンゴム、ウレタンスポンジ、ウレタンフォーム、シリコン、シリコンゴム、ゴムスポンジ、エラストマー、ポリプロピレン、ポリエチレン、ポリウレタン、ポリスチレンであることは好ましい。厚さはシリコンゴムであれば、圧縮残留歪等の観点から、０．８ｍｍから２．０ｍｍ、密度２００〜４８０ｋｇ／nfＪであることは好ましい。
【００２６】
パネル電極１３０ａとパネル電極１３０ｂの端部にはリード線が接続されており、各リード線は電極出力部１６０からそれぞれＥ極リード線、Ｓ極リード線として引き出される。なお、静電容量式重量センサー１０を防水型とする場合には、電極出力部１６０も防水性を確保するため、その出力端部を溶融密着することが好ましい。
【００２７】
図４は本発明の一実施の形態である重量スイッチ２０の平面図である。図４に示す重量スイッチ２０は、長方形の枠を形成する枠スペーサー２１０、枠スペーサー２１０の長辺部を支持し、両辺の離隔を保持する支持スペーサー２２０、そしてこれらを覆う外皮カバー２００等により構成されている。
【００２８】
図５は、図４に示す重量スイッチ２０のＡ−Ａ部の断面図である。また、図６は重量スイッチ２０のパネル電極２３０ａと、パネル電極３０ｂの断面図である。重量スイッチ２０の外側は外皮カバー２００（２００ａ，２００ｂ）で被覆され、その内側にパネル電極２３０ａ（電極Ｅ）、パネル電極２３０ｂ（電極Ｓ）が設けられている。
【００２９】
パネル電極２３０ａとパネル電極２３０ｂとの間には、それらの離隔を保持する支持スペーサー２２０が設けられ、支持スペーサー２２０により内部には空間２７０が形成されている。
【００３０】
図６に示すように外皮カバー２００ａはパネル電極２３０ａを被覆するように一体成形され、外皮カバー２００ｂはパネル電極２３０ｂを被覆するように一体成形されていることが好ましい。
【００３１】
外皮カバー２００ａと外皮カバー２００ｂとは、接続部２５０（２５０ａ，２５０ｂ）及び全周縁端にわたり密閉されている。外皮カバーの材料としては、例えば、塩ビシート、ターポリンシート、ウレタンシート、ナイロン、ゴム、プラスチックシート、ビニールシート、人工皮革、革、布等である。また、静電容量式重量センサー１０を防水型とするには、例えばポリエステルターボリンシート、ポリエステルシート、軟質塩ビシート、ＦＲＰシート、塩ビ版等が好ましい。
【００３２】
パネル電極２３０ａ、パネル電極２３０ｂの材料としては、外皮カバーの変形と一体となり変形する柔軟な電極材料であることが好ましい。例えばカーボンペーパ、導電性インクを用いた導電印刷体、あるいは基材である外皮カバーに導電性材料を塗装した導電塗装体ある。
【００３３】
パネル電極２３０と一体成形される外皮カバー２００の材料としては、加重がかかった際の形状変化に対応可能な柔軟性を有していることが好ましい。また、耐熱性、気密性などに優れ、パネル電極１３０との融着性の良い材料であることが好ましく、例えばポリエステルターボリンシート、ポリエステルシート、軟質塩ビシートであることは好ましい。また、その厚みは０．３５ｍｍから０．７ｍｍ 程度が好ましい。厚みが０．３５ｍｍ未満になると圧縮残留歪が大きなり元の形状に戻り難くなり、０．７ｍｍを越えると圧縮され難くなり感度が悪くなるからである。
【００３４】
枠スペーサー２１０、支持スペーサー２２０の材料としては、収縮が大きくかつ圧縮残留歪の小さいものが好ましく、例えばゴム、スポンジ、ウレタンゴム、ウレタンスポンジ、ウレタンフォーム、シリコン、シリコンゴム、ゴムスポンジ、エラストマー、ポリプロピレン、ポリエチレン、ポリウレタン、ポリスチレンであることは好ましい。厚さはシリコンゴムであれば、圧縮残留歪等の観点から、０．８ｍｍから２．０ｍｍ、密度２００〜４８０ｋｇ／nfＪであることは好ましい。
【００３５】
パネル電極２３０ａとパネル電極２３０ｂの端部にはリード線が接続されており、各リード線は電極出力部２６０からそれぞれＥ極リード線、Ｓ極リード線として引き出される。なお、重量スイッチ２０を防水型とする場合には、外皮カバー２００の全周縁端を溶融密着するとともに電極出力部２６０も溶融密着することが好ましい。
【００３６】
本発明の一実施の形態である静電容量式重量センサー１０は、センサーを構成する部材（外皮カバー１００、枠スペーサー１１０、支持スペーサー１２０、パネル電極１３０、誘電体シート１４０）など、ほぼ全ての部材が柔軟性、復元性を備え、また必要に応じ防水型とすることができる。これにより、これまで設置するができなかった様々な場所に設置でき、かつ微小かつ複雑な加重の変位を検出することができる。
【００３７】
また、本発明の一実施の形態である重量センサー２０は、センサーを構成する部材（外皮カバー２００、枠スペーサー２１０、支持スペーサー２２０、パネル電極２３０）など、ほぼ全ての部材が柔軟性、復元性を備え、また必要に応じ防水型とすることができる。これにより、これまで設置することができなかった様々な場所に設置でき、かつ微小かつ複雑な加重の変化をスイッチング（ＯＮ、ＯＦＦ）として検出することができる。
【実施例】
【００３８】
図７は、本発明の一実施例である静電容量式重量センサー１１の平面図である。静電容量式重量センサーは、スペーサーのサイズや個数、その配列や厚み、圧縮残留歪を、その使用条件により変えることで静電容量を変えることができる。静電容量式重量センサー１１は、本発明の一実施の形態で説明した静電容量式重量センサー１０を基本構成とするなかで、スペーサーのサイズと個数、その配列と厚み、その圧縮残留歪を変えた静電容量式重量センサーである。
【００３９】
スペーサーの数が少なく、硬度が軟らかいほど静電容量は大きくなり、小さな加重による静電容量の変化を検出することができる。しかし、スペーサーの数が少なくなると、加重後の安定値に至る時間が長いことから正確な数値を得ることや加重除去後の加重前の基準値に戻る時間が長いなどの難点がある。
【００４０】
図７に示す第１の実施例である静電容量式重量センサー１１は、上述した観点から一実施例としてパネル電極１３１ｂ上に支持スペーサー１２１を１１本配置し、枠スペーサー１１１と隣接する支持スペーサー１２１との間隔を、支持スペーサー１２１同士の間隔よりも広げ、より高感度に加重の変化をセンサー可能としている。この構成により空間１７１ａは、空間１７１ｂよりも１６０％広い空間となっている。
【００４１】
図８は図７に示すＡ−Ａ箇所の断面を示した図である。 図８においてパネル電極１３１ｂは、外皮カバー１０１ａと一体形成され、その上側は誘電体シート１４１で被覆されており、パネル電極１３１ａは、外皮カバー１０１ｂと一体形成されている。パネル電極１３１ａとパネル電極１３１ｂとは、スペーサー１２１により離隔されている。外皮カバー１０１ａと外皮カバー１０１ｂとは接続部１５１ａと接続部１５１ｂとで溶融密着されている。
【００４２】
パネル電極１３１ａとパネル電極１３１ｂの端部にはリード線が接続されており、各リード線は電極出力部１６１からそれぞれＥ極リード線、Ｓ極リード線として引き出される。なお、電極出力部１６１は防水性を確保するため溶融密着されている。
【００４３】
本実施例においては、外皮カバー１４１ａ、１４１ｂには加重及び形状変化時の折り曲げなどに耐える柔軟性や耐久性に優れたポリエステルターボリンシートを用いた。また、外皮カバー１０１ａと外皮カバー１０１ｂに一体成形するパネル電極としては、カーボンペーパを用いた。静電容量式重量センサー１１は、従来技術である特許文献１が開示する技術では、外部ノイズを除去するためシールド電極を設ける必要があった。しかし、静電容量式重量センサー１１は、検出感度が外部ノイズに比較し遥かに大きいため、外部ノイズの影響を考える必要がなくシールド電極を用いていない。このため、電極出力部１６からはＳ極、Ｅ極のリード線のみが導出されている。
【００４４】
図９は第２の実施例である重量センサー２１の断面図である。重量センサー２１のパネル電極２３１ａとパネル電極２３３１ｂとは、外皮カバー２０１ａ、２０１ｂの内側にカーボンペーパで一体成形されている。外皮カバー２０１ａと外皮カバー２０１ｂとは、その全周縁端と接続部２５１ａと接続部２５１ｂとで溶融密着されている。
【００４５】
パネル電極２３１ａとパネル電極２３１ｂの端部にはリード線が接続されており、各リード線は電極出力部２６１からそれぞれＥ極リード線、Ｓ極リード線として引き出される。なお、電極出力部２６１は防水性を確保するため溶融密着されている。
【００４６】
本実施例においては、外皮カバー２０１ａ、２０１ｂには加重及び形状変化時の折り曲げなどに耐える柔軟性や耐久性に優れたポリエステルターボリンシートを用いた。また、外皮カバー２０１ａと外皮カバー２０１ｂに一体成形する導電体としては、カーボンペーパを用いた。
【００４７】
図１０は、図７に示す静電容量式重量センサー１１を用いて、人が着床してから離床するまでの静電容量の変化を示した図であり、その縦軸は静電容量（ｐｆ）であり、横軸は時間（ｍｉｎ）である。
【００４８】
図１０は、静電容量式重量センサー１１の重量検出精度と、従来技術である特許文献１が開示する技術との比較をするため、人が着床してから離床するまでの変化の様子を示した図である。
【００４９】
図１０と図１１とを対比すると、特許文献１に記載の静電容量式重量センサーの静電容量変化値が約２０００ｐｆから２５５０ｐｆの約５５０ｐｆであるのに対し、静電容量センサー１１は、６０００ｐｆから１２０００ｐｆと約６０００ｐｆ、倍率にして約９倍の変化を示している。このように高感度に重量の変化をセンシングできるのは、静電容量式重量センサー１１が外皮カバー１０１とパネル電極１３１とが柔軟性のある材料で一体成形され、圧縮残留歪が少ない材料のスペーサ（１１１，１２１）を用い、かつ、両端部の空間１７１ａの領域をその他の空間１７１ｂよりも広く設けことによる。両端部は枠スペーサーにより圧縮され難いため、その間隔を広げることで、両端の感度とそれより内側の感度とを同等にすることができるからである。
【００５０】
図１２は第３の実施例である静電容量式重量センサー１１を入浴等の状況をセンサーする風呂センサーとして活用した場合のセンサー設置図である。静電容量式重量センサー１１の電極出力部等を空気中に出し、その他を水没させるようにして、浴槽の内壁に固定支持板や粘着剤等で固定する。電極出力部からのリード線を外部の測定装置（図示していない）に接続する。
【００５１】
図１３は風呂センサーによる浴槽にお湯を満たしていったときの静電容量の変化を示したグラフである。図１３に示すようにお湯が満たされるに従い（横軸）、静電容量値（縦軸）が、リニア―に増加している。なお、波状になっているのはお湯が波打っているためである。
【００５２】
図１４は人が浴槽に入ってから湯上り後までの静電容量の変化を示した図である。入浴すると静電容量が増加（イの区間）、湯上りにより静電容量はもとに戻っている。
【００５３】
図１５は図１４に示すイの区間の拡大図である。浴槽において体動した場合、通常呼吸や深呼吸をした場合に静電容量が変化している。このように静電容量式重量センサー１１によれば、従来センシングできなかった場所での僅かな体動の変化までセンサーすることができる。
【００５４】
図１６は第４の実施例である重量スイッチ２１を豪雪地帯の電柱等に設置し、積雪の状況をセンシングする場合の設置図である。所定の高さの位置に重量スイッチを設置し、出力ケーブル（リード線）をコントロールボックスに接続する。コントロールボックスには、静電容量の変化値を送信する無線装置や電源等が組み込まれている。また、コントロールボックスからは融雪ヒータに電力が供給され、所定の条件下で付着している雪を融雪する。これにより積雪の状況をセンシングすることができる。
【符号の説明】
【００５５】
１０  １１        静電容量式重量センサー
２０  ２１        重量スイッチ
１００  ２００    外皮カバー
１１０  ２１０    枠スペーサー
１２０  ２２０    支持スペーサー
１３０  ２３０    パネル電極
１４０  ２４０    誘電体シート
１５０  ２５０    接続部
１６０  ２６０    電極出力部
１７０  ２７０    空気層
【図１】
2017120244.tif 000003
【図２】
2017120244.tif 000004
【図３】
2017120244.tif 000005
【図４】
2017120244.tif 000006
【図５】
2017120244.tif 000007
【図６】
2017120244.tif 000008
【図７】
2017120244.tif 000009
【図８】
2017120244.tif 000010
【図９】
2017120244.tif 000011
【図１０】
2017120244.tif 000012
【図１１】
2017120244.tif 000013
【図１２】
2017120244.tif 000014
【図１３】
2017120244.tif 000015
【図１４】
2017120244.tif 000016
【図１５】
2017120244.tif 000017
【図１６】
2017120244.tif 000018